【事件の表示】
　平成１１年特許願第２７３３５０号「スローアウェイ式切削工具」拒絶査定不服審判事件〔平成１３年　４月１０日出願公開、特開２００１−　９６４０６〕について、次のとおり審決する。
【結　論】
　本件審判の請求は、成り立たない。
【理　由】
第１　手続の経緯
　本件出願は、平成１１年９月２７日の特許出願であって、同１７年１０月１１日付けで拒絶の理由が通知され、その指定期間内の同１７年１２月１３日に意見書と共に明細書について手続補正がされたが、同１８年５月２５日付けで拒絶をすべき旨の査定がされ、同１８年６月２９日に本件審判の請求がされ、その後、同１８年７月３１日に明細書について再度手続補正（以下「本件補正」という。）がされたものである。
　
第２　本件補正についての補正却下の決定
［補正却下の決定の結論］
　本件補正を却下する。
［理由］
１　補正の内容の概要
　本件補正は、特許請求の範囲について補正をすると共にそれに関連して発明の詳細な説明の一部について補正をするものであって、特許請求の範囲の請求項１について補正前後の記載を補正箇所に下線を付して示すと以下のとおりである。
（１）補正前
「着座面をなす下面に対向する上面の稜線が切刃とされ、側面に複数の取付用平面が設けられたスローアウェイチップを工具本体のチップ取付座に装着してなるスローアウェイ式切削工具であって、
　前記スローアウェイチップは、略円盤形状をなす丸型スローアウェイチップであって、略円形の前記上面と円錐台形状の前記側面との円形の交差稜線が前記切刃とされ、前記側面には、前記取付用平面が上下面の中心を貫通する前記スローアウェイチップの中心軸に対して回転対称にして、９０度間隔をおいて四面設けられ、
　前記チップ取付座が、前記スローアウェイチップの下面を受ける底面と、該底面から立ち上げられて前記スローアウェイチップの前記取付用平面を受ける側壁部とを有し、この側壁部には、工具先端側を向く受け面と工具外周側を向く受け面とが設けられていて、前記チップ取付座は、これら受け面にそれぞれ前記取付用平面のうちいずれか二面を面接触させた状態で前記スローアウェイチップが固定され、
　前記工具本体の、前記チップ取付座の底面と交差する外面には、前記チップ取付座近傍において工具外周側を向く第一の取付基準平面と、工具先端側を向く第二の取付基準平面とが設けられ、前記第一と第二の取付基準平面は、前記受け面
が
（２）補正後
「着座面をなす下面に対向する上面の稜線が切刃とされ、側面に複数の取付用平面が設けられたスローアウェイチップを工具本体のチップ取付座に装着してなるスローアウェイ式切削工具であって、
　前記スローアウェイチップは、略円盤形状をなす丸型スローアウェイチップであって、略円形の前記上面と円錐台形状の前記側面との円形の交差稜線が前記切刃とされ、前記側面には、前記取付用平面が上下面の中心を貫通する前記スローアウェイチップの中心軸に対して回転対称にして、９０度間隔をおいて四面設けられ、
　前記チップ取付座が、前記スローアウェイチップの下面を受ける底面と、該底面から立ち上げられて前記スローアウェイチップの前記取付用平面を受ける側壁部とを有し、この側壁部には、工具先端側を向く受け面と工具外周側を向く受け面とが設けられていて、前記チップ取付座は、これら受け面にそれぞれ前記取付用平面のうちいずれか二面を面接触させた状態で前記スローアウェイチップが固定され、
かつこれら受け面によって受けられる前記取付用平面を変更することで、前記スローアウェイチップの切刃のうち前記工具本体から先端側と外周側に突出する部分を選択することができ、
に
２　補正の適否
　本件補正のうち特許請求の範囲の請求項１についてする補正は、チップ取付座について「これら受け面によって受けられる前記取付用平面を変更することで、前記スローアウェイチップの切刃のうち前記工具本体から先端側と外周側に突出する部分を選択することができ」という事項を付加するとともに、「前記受け面がそれぞれ前記スローアウェイチップの各一つの前記取付用平面を当接させた場合」を「前記受け面にそれぞれ前記スローアウェイチップの各一つの前記取付用平面を当接させた場合」と補正するものであって、全体として特許請求の範囲の減縮を目的とすることが明らかであるので、さらに、補正後の特許請求の範囲の請求項１に係る発明（以下「補正発明」という。）が特許出願の際に独立して特許を受けることができるものであるか否かについて検討する。
（１）補正発明
　補正発明は、本件補正により補正された明細書及び願書に添付した図面の記載からみて、上記１（２）に示す特許請求の範囲の請求項１に記載された事項により特定されるとおりの「スローアウェイ式切削工具」であると認める。
（２）引用例
　これに対して、原査定の拒絶の理由に引用された本件出願前に日本国内において頒布された刊行物である特開平１０−２６３９０７号公報（以下「引用例」という。）の記載内容は以下のとおりである。
（２）−１　引用例記載の事項
　引用例には以下の事項が記載されている。
ア　段落【０００１】
「【発明の属する技術分野】本発明は、工具本体の先端にスローアウェイチップが着脱自在に取り付けられたスローアウェイ式切削工具に係わり、特に、工具本体の剛性を高めるのに有効なスローアウェイ式切削工具に関するものである。」
イ　段落【００１４】〜【００２０】
「【発明の実施の形態】以下に、図１〜図５を参照して、本発明に係るスローアウェイ式切削工具の第一の実施形態について説明する。本実施形態に係るスローアウェイ式切削工具は、軸線回りに回転させられるカッター本体の先端に、略円板状のチップが着脱自在に装着されてなるスローアウェイ式カッターである。
　符号１１は、軸線Ｏ回りに回転させられる略円柱状をなすカッター本体であり、このカッター本体１１の先端には、先端面１１ａから基端１１ｂ側に向かう複数のチップポケット１２が、カッター本体１１の周方向に間隔をおいて形成されている（図１および図２参照）。
　このチップポケット１２のカッター回転方向Ｒを向く面１２ａには、図３に示すように、面１２ａから一段低められた位置に形成された取付面１３ａと、該取付面１３ａから起ち上がり前記チップポケット１２の面１２ａに連なる壁面１３ｂ，１３ｂとから構成されたチップ取付座１３が設けられている。また、この取付面１３ａには、ねじ穴１４が直交するように設けられている。
　チップ取付座１３に装着されるチップ１５は、超硬合金等から略円板状に形成されており、その中央部には、すくい面１５ａをなす上面および着座面１５ｂをなす下面の両面に開口する、クランプねじ１６を挿通するための取付穴が設けられている。
　また、逃げ面１５ｃをなすチップ１５の側面には、面取り面１７が互いに交差するように周方向に連続して形成されており、これら面取り面１７は、周方向に１つおきに位置する一組の面取り面１７と、前記チップ取付座１３の壁面１３ｂ，１３ｂとが互いに密着するように形成されている。
　さらに、すくい面１５ａと逃げ面１５ｃとの交差稜線部に形成された円形状の切刃１５Ａの切れ味が悪くなったり、欠け等が生じた場合に未使用の切刃１５Ａにより切削が行えるように、チップ１５をチップ取付座１３から取り外し、他の組の面取り面１７を壁面１３ｂ，１３ｂに密着させて再装着できるよう、周方向に１つおきに位置する面取り面１７同士のなす角度は全て壁面１３ｂ，１３ｂのなす角度と略一致するように設定されている。
　そして、チップ１５は、チップ取付座１３の取付面１３ａに着座させられるとともに、クランプねじ１６が前記取付穴を貫通してカッター本体１１にねじ込まれることにより、チップ１５の着座面１５ｂおよび面取り面１７が、それぞれ、チップ取付座１３の取付面１３ａおよび壁面１３ｂ，１３ｂに密着するように押し付けられて当接し、カッター本体１１の先端に装着されている。」
ウ　ここで、図面の【図２】及び【図３】を参照すると、チップ１５の面取り面１７が密着するチップ取付座１３の壁面１３ｂ，１３ｂは、それぞれ工具先端側と工具外周側を向いていることが見て取れる。
　また、【図１】ないし【図３】を参照すると、工具本体の、チップ取付座１３の取付面１３ａよりも工具先端側及び工具外周側であって、取付面１３ａと交差する工具先端側及び工具外周側の外面には、チップ取付座１３近傍において工具外周側を向く面と、工具先端側を向く面とが設けられ、チップ取付座１３の壁面１３ｂ，１３ｂにそれぞれスローアウェイチップ１５の各一つの面取り面１７を当接させた場合に、これらの面は、【図１】に示されるように、前記スローアウェイチップ１５の面取り面１７のうち、前記壁面１３ｂ，１３ｂに面接触する面に対向する他の面取り面１７と同一方向を向いて連続していることが見て取れる。
（２）−２　引用例記載の発明
　以上のとおりであるから、引用例記載の事項を技術常識を考慮しながら補正発明に照らして整理すると引用例には以下の発明が記載されていると認める。
「着座面１５ｂをなす下面に対向する上面の稜線が切刃１５Ａとされ、側面に複数の取付用の面取り面１７が設けられたスローアウェイチップ１５を工具本体のチップ取付座１３に装着してなるスローアウェイ式切削工具であって、
　前記スローアウェイチップ１５は、略円板状に形成されたスローアウェイチップ１５であって、略円形の前記上面と逃げ面１５ｃをなす前記側面との円形の交差稜線が前記切刃１５Ａとされ、前記側面には、前記取付用の面取り面１７が互いに交差するように周方向に連続して形成されており、
　前記チップ取付座１３が、前記スローアウェイチップ１５の下面を受ける取付面１３ａと、該取付面１３ａから起ち上げられた工具先端側を向く壁面１３ｂと工具外周側を向く壁面１３ｂとから構成され、前記チップ取付座１３は、これら壁面１３ｂ，１３ｂにそれぞれ前記取付用の面取り面１７のうち周方向に１つおきに位置する一組の面取り面１７を密着させた状態で前記スローアウェイチップ１５が固定され、かつこれら壁面１３ｂ，１３ｂによって受けられる前記面取り面１７を変更することで、前記スローアウェイチップ１５の切刃１５Ａのうち前記工具本体から先端側と外周側に突出する部分を選択することができ、
　工具本体の、チップ取付座１３の取付面１３ａと交差する外面には、前記チップ取付座１３近傍において工具外周側を向く面と、工具先端側を向く面とが設けられ、これらの面は、チップ取付座１３の壁面１３ｂ，１３ｂにそれぞれスローアウェイチップ１５の各一つの面取り面１７を当接させた場合に、前記スローアウェイチップ１５の面取り面１７のうち、前記壁面１３ｂ，１３ｂに密着する面に対向する他の面取り面１７と同一方向を向いて連続しているスローアウェイ式切削工具。」（以下、「引用例記載の発明」という。）
（３）対比
　補正発明と引用例記載の発明とを対比すると以下のとおりである。
　引用例記載の発明の「略円板状に形成されたスローアウェイチップ１５」は、補正発明の「略円盤形状をなす丸型スローアウェイチップ」に相当する。
　また、引用例記載の発明のチップ取付座１３の「取付面１３ａ」は、補正発明の「底面」に相当し、引用例記載の発明の「取付面１３ａから起ち上げられた工具先端側を向く壁面１３ｂと工具外周側を向く壁面１３ｂ」は、当然補正発明と同様に底面から立ち上げられてスローアウェイチップの取付用の面取り面１７を受ける側壁部に設けられているから、補正発明の「工具先端側を向く受け面と工具外周側を向く受け面」に相当する。
　また、引用例記載の発明は、工具先端側を向く受け面と工具外周側を向く受け面にそれぞれスローアウェイチップの取付用の面取り面１７のうち周方向に１つおきに位置する一組の面取り面１７を密着させた状態で前記スローアウェイチップが固定され、かつこれら受け面によって受けられる前記面取り面１７を変更することで、前記スローアウェイチップの切刃のうち前記工具本体から先端側と外周側に突出する部分を選択することができるものであることからみて、引用例記載の発明のスローアウェイチップの側面に、互いに交差するように周方向に連続して形成された「取付用の面取り面１７」は、上下面の中心を貫通するスローアウェイチップの中心軸に対して回転対称にして、所定角度間隔をおいて複数面設けられているという限りで、補正発明の「取付用平面」ということができるものである。
　また、引用例記載の発明における、工具本体の、チップ取付座の底面と交差する外面に設けられた「工具外周側を向く面」と「工具先端側を向く面」は、工具先端側を向く壁面１３ｂと工具外周側を向く壁面１３ｂにそれぞれスローアウェイチップの各一つの面取り面１７を密着させた場合に、前記スローアウェイチップの前記面取り面１７のうち、前記壁面１３ｂ，１３ｂに密着する面に対向する他の面取り面１７と同一方向を向いて連続しており、技術常識からみてチップ取付座１３に装着したスローアウェイチップの面取り面１７に対応する位置決め部を構成する取付基準平面となることが明らかであることから、それぞれ補正発明の「工具外周側を向く第一の取付基準平面」と「工具先端側を向く第二の取付基準平面」に相当し、また、「スローアウェイチップ取付用平面に対応する位置決め部」にも相当する。
　したがって、補正発明と引用例記載の発明とは、以下の点で一致しているということができる。
「着座面をなす下面に対向する上面の稜線が切刃とされ、側面に複数の取付用平面が設けられたスローアウェイチップを工具本体のチップ取付座に装着してなるスローアウェイ式切削工具であって、
　前記スローアウェイチップは、略円盤形状をなす丸型スローアウェイチップであって、略円形の前記上面と前記側面との円形の交差稜線が前記切刃とされ、前記側面には、前記取付用平面が上下面の中心を貫通する前記スローアウェイチップの中心軸に対して回転対称にして、所定角度間隔をおいて複数面設けられ、
　前記チップ取付座が、前記スローアウェイチップの下面を受ける底面と、該底面から立ち上げられて前記スローアウェイチップの前記取付用平面を受ける側壁部とを有し、この側壁部には、工具先端側を向く受け面と工具外周側を向く受け面とが設けられていて、前記チップ取付座は、これら受け面にそれぞれ前記取付用平面のうちいずれか二面を面接触させた状態で前記スローアウェイチップが固定され、かつこれら受け面によって受けられる前記取付用平面を変更することで、前記スローアウェイチップの切刃のうち前記工具本体から先端側と外周側に突出する部分を選択することができ、
　前記工具本体の、前記チップ取付座の底面と交差する外面には、前記チップ取付座近傍において工具外周側を向く第一の取付基準平面と、工具先端側を向く第二の取付基準平面とが設けられ、前記第一と第二の取付基準平面は、前記受け面にそれぞれ前記スローアウェイチップの各一つの前記取付用平面を当接させた場合に、前記スローアウェイチップの前記取付用平面のうち、前記受け面に面接触する面に対向する他の取付用平面と同一方向を向いて連続することにより、前記チップ取付座に装着した前記スローアウェイチップの取付用平面に対応する位置決め部を構成するスローアウェイ式切削工具。」
　そして、補正発明と引用例記載の発明とは、以下の点で相違している。
＜相違点１＞
　スローアウェイチップの形状につき、補正発明では「円錐台形状」としているのに対し、引用例記載の発明では、円錐台形状かどうか不明な点。
＜相違点２＞
　スローアウェイチップの取付用平面が、補正発明では、９０度間隔をおいて四面設けられているのに対して、引用例記載の発明では、そのような角度ではなく、四面のみでもない点。
（４）相違点についての検討
（４）−１　＜相違点１＞について
　一般にスローアウェイチップには逃げ角が設けられているものであることから、略円盤形状をなす丸型スローアウェイチップであれば、その形状を、切刃側である上面側から下面側に向かって逃げ角の分だけ外径が小さくなる円錐台形状とすることは、当業者が容易になし得たものである。
（４）−２　＜相違点２＞について
　略円盤形状をなす丸型スローアウェイチップにおいて、取付用平面を９０度間隔をおいて四面設けることは、例えば、実願昭６３−３６８２８号（実開平１−１３８６０２号）のマイクロフィルム（第１図（ａ）（ｂ）参照）、特開平１０−１７５１１４号公報（【図８】参照）等に開示されているように従来周知である。
　そして、この従来周知の事項を引用例記載の発明に適用することを妨げる特段の理由も見当たらないことからみて、引用例記載の発明を補正発明のように構成することに格別の困難性はない。
（４）−３　効果について
　補正発明によってもたらされる効果も、引用例記載の発明及び上記従来周知の事項から当業者であれば予測できる程度のものであって格別のものではない。
（４）−４　まとめ
　したがって、補正発明は、引用例記載の発明及び従来周知の事項に基づいて当業者が容易に発明をすることができたものであるから、特許法第２９条第２項の規定により特許出願の際独立して特許を受けることができないものである。
３　むすび
　以上のとおり、本件補正は、平成１８年法律第５５号による改正前の特許法第１７条の２第５項において準用する特許法第１２６条第５項の規定に違反するものであるから上記改正前の特許法第１５９条第１項の規定において読み替えて準用する同法第５３条第１項の規定により却下すべきものである。       
　
第３　本件出願の発明について
１　本件出願の発明
　本件補正は、上記のとおり却下されたので、本件出願の請求項に係る発明は、平成１７年１２月１３日付け手続補正書により補正された明細書及び願書に添付した図面の記載からみて、その特許請求の範囲の請求項１ないし請求項２に記載された事項により特定されるとおりのものであると認められるところ、請求項１に係る発明（以下「本件出願の発明」という。）は、上記第２の１（１）に示す特許請求の範囲の請求項１に記載されたとおりの「スローアウェイ式切削工具」である。
２　引用例
　これに対して、原査定の拒絶の理由に引用された刊行物及びその記載内容は、上記第２の２（２）に示したとおりである。
３　対比・検討
　本件出願の発明は、上記第２の２で検討した補正発明から、チップ取付座について「これら受け面によって受けられる前記取付用平面を変更することで、前記スローアウェイチップの切刃のうち前記工具本体から先端側と外周側に突出する部分を選択することができ」という事項を削除したものである。
　そうすると、本件出願の発明を構成する事項の全てを含み、さらに他の事項を付加する補正発明が上記第２の２（４）末尾で示したとおり、引用例記載の発明及び従来周知の事項に基づいて当業者が容易に発明をすることができたものであるから、本件出願の発明も同様の理由により当業者が容易に発明をすることができたものである。
４　むすび
　したがって、本件出願の発明は、特許法第２９条第２項の規定により特許を受けることができない。
　よって、本件出願の請求項２に係る発明について検討するまでもなく結論のとおり審決する。